(57)【特許請求の範囲】
【請求項１】
ＨＤＭＩケーブルを介して第一外部機器が接続されるＨＤＭＩ端子と、
前記第一外部機器から前記ＨＤＭＩ端子を介して電源供給があるか否かを判断する電源供給判断手段と、
画像信号が入力されているか否かを判断する所定時間を、前記電源供給判断手段の判断結果に基づいて変更する所定時間変更手段と、
前記第一外部機器から前記ＨＤＭＩ端子を介して画像信号が入力されているか否かを、前記所定時間変更手段によって変更された前記所定時間かけて判断する画像信号入力判断手段とを備えることを特徴とする表示装置。
【請求項２】
前記ＨＤＭＩケーブル以外のケーブルを介して第二外部機器が接続される外部入力端子を備え、
前記画像信号入力判断手段は、前記第一外部機器から前記ＨＤＭＩ端子を介して画像信号が入力されているか否かを前記所定時間かけて判断する前或いは後に、前記第二外部機器から前記外部入力端子を介して画像信号が入力されているか否かを基準時間かけて判断することを特徴とする請求項１に記載の表示装置。
【請求項３】
前記所定時間変更手段は、前記電源供給判断手段により前記電源供給があると判断された場合には、前記所定時間を長く設定し、
前記電源供給判断手段により前記電源供給がないと判断された場合には、前記所定時間を短く設定することを特徴とする請求項１又は２記載の表示装置。
【請求項４】
前記電源供給判断手段により前記電源供給がないと判断された場合には、前記所定時間変更手段は前記所定時間を０と設定することを特徴とする請求項３記載の表示装置。
【請求項５】
ＨＤＭＩケーブルを介してＨＤＭＩ端子に接続された第一外部機器から電源供給があるか否かを判断する電源供給判断工程と、
画像信号が入力されているか否かを判断する所定時間を、前記電源供給判断工程の判断結果に基づいて変更する所定時間変更工程と、
前記第一外部機器から前記ＨＤＭＩ端子を介して画像信号が入力されているか否かを、前記所定時間変更工程によって変更された前記所定時間かけて判断する画像信号入力判断工程とを含むことを特徴とする接続機器のサーチ方法。
【発明の詳細な説明】
【技術分野】
【０００１】
本発明は、表示装置及び接続機器のサーチ方法に係り、特にＨＤＭＩの入力端子を有する表示装置及び当該表示装置に接続された接続機器のサーチ方法に関する。
【背景技術】
【０００２】
従来、例えばプロジェクターなどの表示装置においては、画像再生装置、チューナー、パソコンなどの外部機器が接続されていて、この外部機器から入力された画像を表示するようになっている。表示装置には、異なる規格の外部機器が接続される外部入力端子が複数系統、設けられているものがある。例えば外部入力端子の規格としては、コンポジット端子、ＲＧＢ端子、ＨＤＭＩ端子などが知られている。
このように異なる規格の外部機器が接続されていると、ユーザーが逐一、使用する外部機器の切り替え操作を行うのは手間であるために、表示装置側でどの外部機器から画像信号が入力されているかを、外部機器毎に所定の時間サーチすることで自動的に判別して、当該画像信号に基づいた表示を行うようになっている（例えば特許文献１参照）。
【先行技術文献】
【特許文献】
【０００３】
【特許文献１】特開平３−２３１５８２号公報
【発明の概要】
【発明が解決しようとする課題】
【０００４】
ここで、ＨＤＭＩ端子に外部機器が表示装置に接続されている場合には、まず外部機器からＨＤＭＩケーブルを介して表示装置に５Ｖ電源が出力される。この電源供給から表示装置は外部機器の電気的な接続を認識するとともに、外部機器も表示装置の電気的な接続を認識する。この接続確認後、外部機器からはＨＤＭＩケーブルを介して表示装置にＡＶＩパケット等の画像信号が送られるため、表示装置は受信したＡＶＩパケットを基に外部機器から画像信号が入力されていることを判断するようになっている。
現在、ＨＤＭＩ規格の外部機器では、電気的な接続を確認してからＡＶＩパケットを出力するまでの待機時間が機器（メーカー）によってばらつきがある。このばらつきは、待機時間の最も短い機器と最も長い機器とでは、３〜４秒も異なっているのが実状である。
待機時間が最も遅い外部機器に合わせてＨＤＭＩ規格に対するサーチ時間を設定してしまうと、それよりも短い待機時間の外部機器に対しては無駄にサーチ時間を要してしまうことになる。他方、待機時間が最も短い外部機器に合わせてＨＤＭＩ規格に対するサーチ時間を設定してしまうと、それよりも長い待機時間の外部機器に対してはＡＶＩパケットの受信を取りこぼすおそれがある。
そこで本発明の課題は、電気的な接続を確認してから画像信号を出力するまでの待機時間が異なる外部機器に対しても、サーチ時間の長時間化を抑えつつ、画像信号の有無の判断の確実性を高めることである。
【課題を解決するための手段】
【０００５】
以上の課題を解決するため、本発明の一の態様によれは、
ＨＤＭＩケーブルを介して第一外部機器が接続されるＨＤＭＩ端子と、
前記第一外部機器から前記ＨＤＭＩ端子を介して電源供給があるか否かを判断する電源供給判断手段と、
画像信号が入力されているか否かを判断する所定時間を、前記電源供給判断手段の判断結果に基づいて変更する所定時間変更手段と、
前記第一外部機器から前記ＨＤＭＩ端子を介して画像信号が入力されているか否かを、前記所定時間変更手段によって変更された前記所定時間かけて判断する画像信号入力判断手段とを備えることを特徴とする表示装置が提供される。
【発明の効果】
【０００６】
本発明によれば、電気的な接続を確認してから画像信号を出力するまでの待機時間が異なる外部機器に対しても、サーチ時間の長時間化を抑えつつ、画像信号の有無の判断の確実性を高めることができる。
【図面の簡単な説明】
【０００７】
【図１】本実施形態の表示装置としてのプロジェクターの主制御構成を示すブロック図である。
【図２】本実施形態のプロジェクターで実行されるオートサーチプログラムのフローチャートである。
【図３】本実施形態のプロジェクターで実行されるオートサーチの各サーチ時間を示す説明図である。
【発明を実施するための形態】
【０００８】
以下に、本発明を実施するための最良の形態について図面を用いて説明する。ただし、以下に述べる実施形態には、本発明を実施するために技術的に好ましい種々の限定が付されているが、発明の範囲を以下の実施形態及び図示例に限定するものではない。
【０００９】
図１は、本実施形態の表示装置としてのプロジェクターの主制御構成を示すブロック図である。図１に示すようにプロジェクター１には、各種外部機器が接続される接続部２と、各種外部機器から接続部２を介して入力された画像信号から、１つの外部機器から入力された画像信号を選択するセレクタ３と、セレクタ３を介して入力された画像信号に基づく画像を生成する表示素子４と、表示素子４で生成された画像を投影するレンズ群５と、これらを制御する制御部６とが備えられている。
【００１０】
接続部２には、ＨＤＭＩケーブル以外のケーブルが接続される外部入力端子としてのコンポジット端子２１及びＲＧＢ端子２２と、ＨＤＭＩ端子２３とが設けられている。コンポジット端子２１は、コンポジット信号を出力するコンポジット用外部機器（第二外部機器）７がコンポジットケーブル７１を介して接続されている。ＲＧＢ端子２２は、ＲＧＢ信号を出力するＲＧＢ用外部機器（第二外部機器）８がＲＧＢケーブル８１を介して接続されている。なお、第二外部機器は、ＨＤＭＩ信号を出力する機器でなければ、コンポジット用外部機器７やＲＧＢ用外部機器８以外の機器であってもよい。
ＨＤＭＩ端子２３には、ＨＤＭＩ信号を出力するＨＤＭＩ用外部機器（第一外部機器）９がＨＤＭＩケーブル９１を介して接続されている。
ここで、ＨＤＭＩ用外部機器９は、画像信号を出力するとともに電源供給も行っているが、その他の外部機器７，８は画像信号のみを出力している。
【００１１】
制御部６は、ＣＰＵ６１、ＲＡＭ６２、ＲＯＭ６３を備えており、ＣＰＵ６１がＲＯＭ６３内の制御プログラム、制御データをＲＡＭ６２に展開することで各部を制御するようになっている。例えば、制御プログラムとしては、どの外部機器７，８，９から画像信号が入力されているか否かを外部機器７，８，９毎に所定の時間サーチすることで自動的に判別するオートサーチプログラムが挙げられる。オートサーチプログラムの実行は、制御部６に電気的に接続された映像検出スイッチ１０がＯＮとなったタイミングで開始される。映像検出スイッチ１０は、それ専用のスイッチであっても、例えば電源スイッチ等のその他の機能を兼ね備えたスイッチであってもよい。
オートサーチプログラムの実行時においては、制御部６は、ＨＤＭＩ用外部機器９からＨＤＭＩ端子２３を介して電源供給があるか否かを判断する電源供給判断手段として機能する。また、制御部６は、画像信号が入力されているか否かを判断するための所定時間を、前記電源供給があるか否かの判断結果に基づいて変更する所定時間変更手段として機能する。そして、制御部６は、各外部機器７，８，９から各端子２１〜２３に対して画像信号が入力されているか否かを、所定時間かけて判断する画像信号入力判断手段として機能する。
【００１２】
以下、本発明に係る接続機器のサーチ方法としてのオートサーチプログラム実行時の作用について図２に示すフローチャートに基づき説明する。
映像検出スイッチ１０がＯＮとなってオートサーチプログラムが開始されると、制御部６は、ステップＳ１に移行してセレクタ３を制御し、ＨＤＭＩ用外部機器９からＨＤＭＩ端子２３を介して電源供給があるか否かを判断し、電源供給がある場合にはステップＳ２に移行し、電源供給がない場合にはステップＳ４に移行する（電源供給判断工程）。
ステップＳ２では、制御部６は、ＨＤＭＩ端子２３にＨＤＭＩ用外部機器９が接続されていることを認識する。
ステップＳ３では、制御部６は、所定時間を基準時間よりも長く設定し、ステップＳ５に移行する（所定時間変更工程）。ここで、基準時間よりも長い時間としては、市場にある各種ＨＤＭＩ用外部機器９のうち、電気的な接続を確認してから画像信号を出力するまでの待機時間が最も長い外部機器の待機時間に対応した時間であることが、多様な外部機器に対する正確性を高める上で望ましい。
ステップＳ４では、制御部６は、所定時間を０と設定し、ステップＳ５に移行する（所定時間変更工程）。
【００１３】
ステップＳ５では、制御部６は、電源供給後、ＨＤＭＩ用外部機器９からＨＤＭＩ端子２３を介して画像信号が入力されているか否かを所定時間かけて判断し、所定時間経過中に画像信号の入力があった場合には所定時間経過直後にステップＳ６に移行し、所定時間経過中に画像信号の入力がなかった場合には所定時間経過直後にステップＳ７に移行する（画像信号入力判断工程）。ここで、ステップＳ４からステップＳ５に移行した場合には、所定時間が０であるので画像信号の有無の判断は行われずにステップＳ７に移行する。
【００１４】
ステップＳ６では、制御部６は、ＨＤＭＩ端子２３に画像信号の入力があったと認識し、終了する。
ステップＳ７では、制御部６は、ＨＤＭＩ端子２３に画像信号の入力がなかったと認識し、ステップＳ８に移行する。
【００１５】
ステップＳ８では、制御部６は、セレクタ３を制御し、コンポジット用外部機器７からコンポジット端子２１を介して画像信号の入力があるか否かを基準時間かけて判断し、基準時間経過中に画像信号の入力があった場合には基準時間経過直後にステップＳ９に移行し、基準時間経過中に画像信号の入力がなかった場合には基準時間経過直後にステップＳ１０に移行する。
【００１６】
ステップＳ９では、制御部６は、コンポジット端子２１に画像信号の入力があったと認識し、終了する。
ステップＳ１０では、制御部６は、コンポジット端子２１に画像信号の入力がなかったと認識し、ステップＳ１１に移行する。
【００１７】
ステップＳ１１では、制御部６は、セレクタ３を制御し、ＲＧＢ用外部機器８からＲＧＢ端子２２を介して画像信号の入力があるか否かを基準時間かけて判断し、基準時間経過中に画像信号の入力があった場合には基準時間経過直後にステップＳ１２に移行し、基準時間経過中に画像信号の入力がなかった場合には基準時間経過直後にステップＳ１３に移行する。
【００１８】
ステップＳ１２では、制御部６は、ＲＧＢ端子２２に画像信号の入力があったと認識し、終了する。
ステップＳ１３では、制御部６は、ＲＧＢ端子２２に画像信号の入力がなかったと認識し、終了する。
【００１９】
例えば、ＨＤＭＩ用外部機器９、コンポジット用外部機器７及びＲＧＢ用外部機器８という順でオートサーチを実行する場合、図３（ａ）に示すように全てのサーチ時間を基準時間としていると、電気的な接続を確認してから画像信号（ＡＶＩパケット）を出力するまでの待機時間が基準時間以上の外部機器の画像信号を検出し損ねてしまう。
一方、本実施形態では、ＨＤＭＩ端子２３に対する電源供給がある場合には、制御部６は、ＨＤＭＩ端子２３にＨＤＭＩ用外部機器９が接続されていることを認識して、ＨＤＭＩ用外部機器９からＨＤＭＩ端子２３を介して画像信号が入力されているか否かを判断するための所定時間を図３（ｂ）に示すように基準時間よりも長く設定するので、待機時間が基準時間以上の外部機器の画像信号を確実に検出することができる。
また、本実施形態では、ＨＤＭＩ端子２３に対する電源供給がない場合には、制御部６は、ＨＤＭＩ端子２３にＨＤＭＩ用外部機器９が接続されていないと認識して、ＨＤＭＩ用外部機器９からＨＤＭＩ端子２３を介して画像信号が入力されているか否かを判断するための所定時間を図３（ｃ）に示すように０に設定するので、無駄に時間が消費されてしまうことを防止することができる。
【００２０】
以上のように、本実施形態によれば、ＨＤＭＩ用外部機器９からＨＤＭＩ端子２３を介して電源供給があるか否かの判断結果に基づいて所定時間が変更されている。電源供給のある場合には制御部６はＨＤＭＩ端子２３にＨＤＭＩ用外部機器９が接続されていることを認識して、画像信号の有無の判断を長時間化することができる。一方、電源供給のない場合には制御部６はＨＤＭＩ端子２３にＨＤＭＩ用外部機器９が接続されていないことを認識して、画像信号の有無の判断を短時間化することができる。
したがって、電気的な接続を確認してから画像信号（ＡＶＩパケット）を出力するまでの待機時間が異なる外部機器に対しても、サーチ時間の長時間化を抑えつつ、画像信号の有無の判断の確実性を高めることができる。
【００２１】
また、ＨＤＭＩ用外部機器９からＨＤＭＩ端子２３を介して画像信号が入力されているか否かを所定時間かけて判断する後に、外部機器（コンポジット用外部機器７、ＲＧＢ用外部機器８）から外部入力端子（コンポジット端子２１、ＲＧＢ端子２２）を介して画像信号が入力されているか否かを制御部６が基準時間かけて判断しているので、ＨＤＭＩ用外部機器９以外の外部機器に対しても自動的にオートサーチを実行することができる。
【００２２】
また、ＨＤＭＩ端子２３に対して電源供給があると判断した場合には、制御部６が所定時間を基準時間よりも長く設定しているので、待機時間が基準時間よりも長いＨＤＭＩ用外部機器９に対しても画像信号の有無の判断を確実にすることができる。
また、ＨＤＭＩ端子２３に対して電源供給がないと判断された場合には、制御部６が所定時間を０と設定しているので、無駄にサーチ時間が消費されてしまうことを防止することができる。
【００２３】
なお、本発明は上記実施形態に限らず適宜変更可能である。
例えば、上記実施形態では、ＨＤＭＩ用外部機器９からＨＤＭＩ端子２３を介して画像信号が入力されているか否かを所定時間かけて判断した後に、制御部６は、外部機器７，８から外部入力端子２１，２２を介して画像信号が入力されているか否かを判断する場合を例示して説明したが、これとは逆にＨＤＭＩ用外部機器９からＨＤＭＩ端子２３を介して画像信号が入力されているか否かを所定時間かけて判断する前に、外部機器７，８から外部入力端子２１，２２を介して画像信号が入力されているか否かを判断するようにしてもよい。
また、本実施形態では表示装置としてプロジェクター１を例示して説明しているが、外部機器がＨＤＭＩ端子を介して接続されるのであればプロジェクター１以外の表示装置であっても構わない。
また、本実施形態では、ＨＤＭＩ端子２３に対して電源供給がないと判断された場合に制御部６が所定時間を０と設定する場合を例示して説明したが、所定時間を基準時間よりも短く設定すればよい。この場合においても無駄にサーチ時間が消費されてしまうことを抑制することができる。
なお、ＨＤＭＩ用外部機器９に対するサーチ時間、コンポジット用外部機器７に対するサーチ時間、ＲＧＢ用外部機器８に対するサーチ時間を基準時間として同一の時間に設定したが、これに限らずそれぞれの基準時間は異なっていてもよく、これによってそれぞれの端子に適切な時間でサーチができる。
【００２４】
本発明のいくつかの実施形態を説明したが、本発明の技術的範囲には特許請求の範囲に記載された発明とその均等の範囲が含まれる。
以下に、本願出願の当初の特許請求の範囲に記載された発明を付記する。
【００２５】
〔付記〕
［請求項１］
ＨＤＭＩケーブルを介して第一外部機器が接続されるＨＤＭＩ端子と、
前記第一外部機器から前記ＨＤＭＩ端子を介して電源供給があるか否かを判断する電源供給判断手段と、
前記画像信号が入力されているか否かを判断する所定時間を、前記電源供給判断手段の判断結果に基づいて変更する所定時間変更手段と、
前記第一外部機器から前記ＨＤＭＩ端子を介して画像信号が入力されているか否かを、前記所定時間変更手段によって変更された前記所定時間かけて判断する画像信号入力判断手段とを備えることを特徴とする表示装置。
［請求項２］
前記ＨＤＭＩケーブル以外のケーブルを介して第二外部機器が接続される外部入力端子を備え、
前記画像信号入力判断手段は、前記第一外部機器から前記ＨＤＭＩ端子を介して画像信号が入力されているか否かを前記所定時間かけて判断する前或いは後に、前記第二外部機器から前記外部入力端子を介して画像信号が入力されているか否かを基準時間かけて判断することを特徴とする請求項１記載の表示装置。
［請求項３］
前記所定時間変更手段は、前記電源供給判断手段により前記電源供給があると判断された場合には、前記所定時間を長く設定し、
前記電源供給判断手段により前記電源供給がないと判断された場合には、前記所定時間を短く設定することを特徴とする請求項１又は２記載の表示装置。
［請求項４］
前記電源供給判断手段により前記電源供給がないと判断された場合には、前記画像信号入力判断手段は前記所定時間を０と設定することを特徴とする請求項３記載の表示装置。
［請求項５］
ＨＤＭＩケーブルを介してＨＤＭＩ端子に接続された第一外部機器から電源供給があるか否かを判断する電源供給判断工程と、
前記画像信号が入力されているか否かを判断する所定時間を、前記電源供給判断工程の判断結果に基づいて変更する所定時間変更工程と、
前記第一外部機器から前記ＨＤＭＩ端子を介して画像信号が入力されているか否かを、前記所定時間変更工程によって変更された前記所定時間かけて判断する画像信号入力判断工程とを含むことを特徴とする接続機器のサーチ方法。
【符号の説明】
【００２６】
１      プロジェクター（表示装置）
２      接続部
３      セレクタ
４      表示素子
５      レンズ群
６      制御部（電源供給判断手段、所定時間変更手段、画像信号入力判断手段）
７      コンポジット用外部機器（第二外部機器）
８      ＲＧＢ用外部機器（第二外部機器）
９      ＨＤＭＩ用外部機器（第一外部機器）
１０      映像検出スイッチ
２１      コンポジット端子（外部入力端子）
２２      ＲＧＢ端子（外部入力端子）
２３      ＨＤＭＩ端子
【図１】
0005821719.tif 000002
【図２】
0005821719.tif 000003
【図３】
0005821719.tif 000004